(57)【要約】【課題】  遊技者にとって有利な状態となる球受け口と不利な状態となる球受け口への入賞率を可変する構成とすることにより、遊技への興趣を高めることが可能なパチンコ機の入賞装置を提供すること。【解決手段】  遊技者にとって有利な状態となる第１球受け口２１と不利な状態となる第２球受け口２２とを設けた回転体２０と、遊技領域に打ち込まれた遊技球をほぼ静止状態にて待機させる球待機部１７とを設け、その球待機部１７に待機する遊技球ａが第１球受け口又は第２球受け口に受け入れられるように構成したパチンコ機の入賞装置において、回転体２０については、モータ駆動手段によって左回転及び右回転方向に回転制御可能に設け、第１球受け口２１と第２球受け口２２とが回転中心ｏを中心として所定角度間隔に配置され、回転方向の相違によって遊技球が第１球受け口に受け入れられる領域と第２球受け口に受け入れられる領域とが可変されるように構成した。【選択図】  図２
2005224330.tif 000002
【特許請求の範囲】
【請求項１】
遊技者にとって有利な状態となる第１球受け口と不利な状態となる第２球受け口とを外周縁部に少なくとも一つずつ配設した回転体と、遊技領域に打ち込まれて流下する遊技球を受け止めて当該遊技球をほぼ静止状態にて待機させる球待機部とを設け、その球待機部に待機する遊技球が前記第１球受け口又は第２球受け口に受け入れられるように構成したパチンコ機の入賞装置において、
前記回転体については、モータ駆動手段によって左回転及び右回転方向に回転制御可能に設けられていると共に、前記第１球受け口と第２球受け口とが回転中心を中心として所定角度間隔に配置され、前記回転方向の相違によって前記球待機部に待機した遊技球が第１球受け口に受け入れられる領域と第２球受け口に受け入れられる領域とが可変されるように構成したことを特徴とするパチンコ機の入賞装置。
【請求項２】
前記回転体の左回転時の場合における第１球受け口に受け入れられる領域及び第２球受け口に受け入れられる領域の入球割合が、右回転時の場合における第１球受け口に受け入れられる領域及び第２球受け口に受け入れられる領域の入球割合と入れ替わった値となるように構成したことを特徴とする請求項１に記載のパチンコ機の入賞装置。
【請求項３】
遊技領域に打ち込まれた遊技球が前記球待機部に待機するときに、パチンコ機の一部に設けられた報知手段によりランプの点滅、音声の出力、所定情報の表示のうちの少なくとも一つの作動制御が前記回転体の回転方向に対応して行われるように構成したことを特徴とする請求項１又は２に記載のパチンコ機の入賞装置。
【発明の詳細な説明】
【技術分野】
【０００１】
本発明は、モータ装置により回転制御される回転体の上面に、遊技者にとって有利な状態となる球受け口と不利な状態となる球受け口とを設け、遊技領域に打ち込まれて流下する遊技球を受け止めて所定箇所に誘導された当該遊技球を、遊技者にとって有利な状態となる球受け口と不利な状態となる球受け口の何れかに受け入れられるように構成したパチンコ機の入賞装置に関する。
【背景技術】
【０００２】
従来のパチンコ機の入賞装置として、遊技領域に打ち込まれて流下する遊技球を受け止めて所定箇所に誘導された当該遊技球を、モータ装置により回転制御される回転体の上面に設けられた遊技者にとって有利な状態となる球受け口と不利な状態となる球受け口の何れかに受け入れられるように構成したものが普及している。
【０００３】
上記パチンコ機の入賞装置では、遊技者にとって有利な状態となる球受け口と不利な状態となる球受け口とが前記回転体の中心を通る直径線上に配置されていて、遊技者にとって有利な状態となる球受け口への入賞確率が常に一定であるためにパチンコ遊技の興趣に欠けるものであった。
【０００４】
特開平５−９２０６８号公報に記載の「弾球遊技機の可変入賞球装置」には、回転方向によって前方に配置された特定（特別）入賞口への入賞球の誘導を有利にする方向と不利にする方向とに回転制御される回転体を入賞空間内に設け、その回転体により入賞球を複数の方向に移動させて入賞球の挙動を変化させることにより、入賞球の流路変更に遊技者の注意を喚起させるという可変入賞球装置の構成が開示されている。
【０００５】
また、実公平６−２７１８４号公報に記載の「弾球遊技機の可変入賞球装置」には、前面を開放させて遊技部と区画可能な大入賞口にソレノイド駆動手段により左右に開閉作動する一対の可動片を臨ませるように設けると共に、その可動片により遊技部と大入賞口とが遮断される状態と、遊技部と大入賞口とが連通される状態とに変換可能に設け、大入賞口の前方下部に特別入賞口と普通入賞口とを左右方向に並設し、モータ装置により回転方向を逆転可能な回転体を大入賞口内に設け、その回転体の回転方向の相違により特別入賞口への入賞確率を変動可能とした可変入賞球装置の構成が開示されている。
【０００６】
前二者の公報に記載の可変入賞装置では、何れも入賞空間内に上部室から流入した遊技球が下部室に配置された回転体の上面に導かれて当該回転体の前方に並列して配置された特別入賞口又は普通入賞口の何れかの入賞口に誘導されるような構造とされ、その回転体は入賞球の流路を変更する役割を果たすために設けられている。これらの入賞装置は複雑な構造とされていて製造コストも高くつくため、もっと簡素な構成で製造コストが低く、加えて、遊技者の期待感を触発する入賞装置の開発が望まれていた。
【０００７】
特開２００３−１９０４６３号公報に記載の「弾球遊技機」には、入球口に入った遊技球を保持する球受部を備えた回転制御可能な回転体と、その回転体に保持された遊技球を排出する排出口と、遊技に関する所定の演出を行なう演出手段を備えた弾球遊技機において、遊技状態に応じて回転体の回転状態を変化させると共に回転状態に関連させて音声による演出等を行うようにした構成が開示されている。
【特許文献１】特開平５−９２０６８号公報
【特許文献２】実公平６−２７１８４号公報
【特許文献３】特開２００３−１９０４６３号公報
【発明の開示】
【発明が解決しようとする課題】
【０００８】
本発明の目的は、遊技者にとって有利な状態となる球受け口と不利な状態となる球受け口への入賞率を可変する構成とすることにより、遊技への興趣を高めることが可能なパチンコ機の入賞装置を提供することにある。
【課題を解決するための手段】
【０００９】
前記目的を達成するために請求項１に記載した発明は、遊技者にとって有利な状態となる第１球受け口と不利な状態となる第２球受け口とを外周縁部に少なくとも一つずつ配設した回転体と、遊技領域に打ち込まれて流下する遊技球を受け止めて当該遊技球をほぼ静止状態にて待機させる球待機部とを設け、その球待機部に待機する遊技球が前記第１球受け口又は第２球受け口に受け入れられるように構成したパチンコ機の入賞装置において、
前記回転体については、モータ駆動手段によって左回転及び右回転方向に回転制御可能に設けられていると共に、前記第１球受け口と第２球受け口とが回転中心を中心として所定角度間隔に配置され、前記回転方向の相違によって前記球待機部に待機した遊技球が第１球受け口に受け入れられる領域と第２球受け口に受け入れられる領域とが可変されるように構成したことを特徴とする。
【００１０】
同様の目的を達成するために請求項２に記載した発明は、請求項１に記載のパチンコ機の入賞装置において、前記回転体の左回転時の場合における第１球受け口に受け入れられる領域及び第２球受け口に受け入れられる領域の入球割合が、右回転時の場合における第１球受け口に受け入れられる領域及び第２球受け口に受け入れられる領域の入球割合と入れ替わった値となるように構成したことを特徴とするものである。
【００１１】
同様の目的を達成するために請求項３に記載した発明は、請求項１又は２に記載のパチンコ機の入賞装置において、遊技領域に打ち込まれた遊技球が前記球待機部に待機するときに、パチンコ機の一部に設けられた報知手段によりランプの点滅、音声の出力、所定情報の表示のうちの少なくとも一つの作動制御が前記回転体の回転方向に対応して行われるように構成したことを特徴とするものである。
【発明の効果】
【００１２】
（請求項１及び２の発明）
このパチンコ機の入賞装置は、回転体の回転方向の変更に伴って遊技者に有利な状態となる球受け口と不利な状態となる球受け口への入賞率を極めて正確に可変することができて、パチンコ遊技に一層の興趣を付与することができる。加えて、従来の可変入賞装置に比較して簡素な構造としているので、製造コストの低減化を図ることができる。
【００１３】
（請求項３の発明）
このパチンコ機の入賞装置は、入賞装置の一部に設けられた報知手段により遊技球が遊技者に有利な状態となる球受け口か、不利な状態となる球受け口かの何れに案内されるかについて報知されるため、遊技者はかかる状況の認識をし易い。さらに、回転体の回転方向が変化することにより報知手段による表現態様も可変されるので、回転体の回転方向によって変化する各球受け口への入賞率についても遊技者は容易に認識することができる。
【発明を実施するための最良の形態】
【００１４】
以下に、本発明の最良の形態例を図面に基づいて説明する。図１は本発明のパチンコ機の入賞装置と、公知の始動入賞口、回転式入賞装置及び大入賞口等が設置された遊技盤の説明図、図２は回転体の左回転時の場合において、第１球受け口に受け入れられる領域に遊技球が流入するタイミングを説明する模式図（イ）、同、第２球受け口に受け入れられる領域に遊技球が流入するタイミングを説明する模式図（ロ）、図３は回転体の左回転時の場合における第１球受け口と第２球受け口への入球割合を示す説明図、図４は回転体の右回転時の場合における第１球受け口と第２球受け口への入球割合を示す説明図、図５はパチンコ機の電子制御部の要部を示すブロック図、図６は回転体の回転制御処理を説明するフローチャート、図７は本発明の入賞装置の回転体、始動入賞口、チューリップ式入賞装置、回転式入賞装置、大入賞口との動作関係を説明するタイムチャートである。
【００１５】
図１において、パチンコ機の遊技盤の前面には、外レール１と内レール２とにより囲まれた遊技領域ｒを設け、その内レール２の最下部にアウト口３を配設している。その遊技領域ｒには、チューリップ式入賞装置６を天部に備えた中央役物５、その中央役物５の右方で上下に配置された回転式入賞装置８と大入賞口９、下方の左右位置に始動入賞口１０，１０、その他に風車１１や一般の入賞口１２及び図示しない障害釘等が配設されている。
【００１６】
本発明の入賞装置１５の構成については後に詳しく述べるところ、中央役物５の中心部下方に設置されていて、チューリップ式入賞装置６に入賞した遊技球が真下に落下してからステージ１６に誘導され、ついで、回転体２０に設けられた遊技者にとって有利な状態となる第１球受け口２１と不利な状態となる第２球受け口２２の何れかに受け入れられるような概要構成とされている。
なお、第１球受け口２１と第２球受け口２２とは、回転体２０の回転時における軌跡が異なる位置関係となるように当該回転体２０に開設されている。その回転体２０の後方には、第１球受け口２１に受け入れられた球のみを排出する第１排出口（図示せず）と、第２球受け口２２に受け入れられた球のみを排出する第２排出口（図示せず）とが設けられている。
【００１７】
チューリップ式入賞装置６については、すると、一対の開閉片６ａを所定時間（例えば、０．５秒間）だけ開成してから閉成するように構成されている。
【００１８】
ここで、パチンコ機の遊技内容の概要について説明する。
遊技領域ｒに打ち込まれた遊技球が二つの始動入賞口１０，１０の何れかに入賞することにより、チューリップ式入賞装置６の一対の開閉片６ａが開成する。そして、その一対の開閉片６ａの間に遊技球が入賞すると、その遊技球は本発明の入賞装置１５の遊技者にとって有利な状態となる第１球受け口２１か、不利な状態となる第２球受け口２２の何れかに受け入れられる。しかして、その遊技球が第１球受け口２１に入ったとすれば、中央役物５の図柄表示部７の変動表示を開始し、その図柄表示部７に特別図柄、例えば、「７，７」が表示されたときには特別遊技状態（いわゆる大当たり状態）となる。
【００１９】
しかして、大当たり遊技状態中に、遊技領域ｒに打ち込まれた遊技球が回転式入賞装置８に入賞すると、これを検出スイッチ６４により検知して大入賞口９のソレノイド（図示せず）をオン作動させるので、開閉片９ａが開成する。そして、遊技球が大入賞口９に所定個数（例えば、１０個）だけ入賞するか、或いは回転式入賞装置８の１周期の到来により開閉片９ａは閉成する（１ラウンド終了）。また、１ラウンド中に新たな遊技球が回転式入賞装置８に入賞しておれば、大入賞口９の開閉片９ａの開閉動作が所定回数（例えば、最高１５回）まで繰り返される。ついで、本発明の入賞装置１５を適用することによる特典遊技状態に移行するが、このことについては後述する。
【００２０】
本発明のパチンコ機の入賞装置１５は、前記中央役物５のケース５ａの中心部下方に設置されている。図２に示すように、そのケース５ａの内側には、チューリップ式入賞装置６に入賞してから下方に導かれる遊技球を受け止めて転動させるためのステージ１６が設けられている。そのステージ１６は、周辺部１６ａから中央部１６ｂに向かって徐々に低くなるように凹円弧状に形成されると共に当該中央部１６ｂに後方に向かって下がり傾斜に形成した球待機部１７が設けられている。この球待機部１７は、ステージ１６を転動する遊技球を受け止めてほぼ静止状態にて待機させてから後方に移動することができるように設けられている。
【００２１】
２０は上面２０ａを上記球待機部１７側にやや傾斜させて図示しないモータ駆動手段によって左回転及び右回転方向に回転制御可能に設けた回転体である。この回転体２０の上面２０ａには、遊技者にとって有利な状態となる第１球受け口（当たり穴）２１と不利な状態となる第２球受け口（ハズレ穴）２２とが、図３に示すように回転中心ｏを中心として外周縁部２０ｂに所定角度間隔にて配置されている。２４は回転体２０の外周縁部２０ｂに沿うように設けられた囲い枠部材である。この囲い枠部材２４は、球待機部１７から回転体２０の上面に落下する遊技球が外に飛び出すことを防ぐために設けられている。
【００２２】
図３に示す回転体２０の左回転時の場合において、遊技者にとって有利な状態となる第１球受け口２１に受け入れられる領域、言い換えれば当たり領域ｈと、遊技者にとって不利な状態となる第２球受け口２２に受け入れられる領域たるハズレ領域ｆの入球割合については、角度１２０°対２４０°、即ち、１／３対２／３である。同様に、図４に示す回転体２０の右回転時の場合において、当たり領域ｈと、ハズレ領域ｆの入球割合については、角度２４０°対１２０°、即ち２／３対１／３である。
【００２３】
しかして、この入賞装置１５では、左回転時の場合における当たり領域ｈ及びハズレ領域ｆの入球割合は、右回転時の場合における当たり領域ｈ及びハズレ領域ｆの入球割合と入れ替わった値となるように構成しており、回転体２０の回転方向の相違によって球待機部１７に待機した遊技球が第１球受け口２１に受け入れられる当たり領域ｈと、第２球受け口２２に受け入れられるハズレ領域ｆとに可変可能に構成されている。
【００２４】
また、パチンコ機の一部には、ランプの点滅、音声の出力、所定情報の表示のうちの少なくとも一つの作動を行なう報知手段を適宜設ける。その報知手段としては、例えば、回転体２０の外周縁部２０ｂに沿うように同色又は色彩の異なる発光ダイオード（ＬＥＤ）を所定間隔に配設して当該発光ダイオードを適時に点滅作動させるランプ手段である。
【００２５】
しかして、遊技領域に打ち込まれた遊技球が球待機部１７に待機するときに、ランプ手段により回転体２０の回転方向に対応させて発光ダイオードの点滅速度を変化させたり、色彩の異なる発光ダイオードを点滅させるなどにより、遊技者に視覚的効果を付与するように構成する。報知手段としては、前記ランプ手段の他に、音声を発生させる音声手段、図柄等の所定情報の表示を行なう表示手段等を採用することができる。
【００２６】
つぎに、このパチンコ機の電子制御部の概要について説明する。
このパチンコ機の電子制御部には、図５に示すように、ハード及びソフトウェアーの制御を司る基本回路が設けられた主制御基板５０を備えている。その主制御基板５０は、中央演算装置（ＣＰＵ）、その中央演算装置が実行する各種乱数発生手段・大当たり処理制御等の各種制御プログラム等を記憶させたメモリー（ＲＯＭ）、中央演算装置が制御プログラムを実行するときにメモリー（ＲＯＭ）から読み出される内容等を一時的に記憶させるためのメモリー（ＲＡＭ）等から構成されている。そして、主制御基板５０には、始動入賞口１０の入賞球を検知する検出スイッチ６１、入賞装置１５の始動スイッチ６２、大入賞口９の入賞球を計数するカウントスイッチ６３、回転式入賞装置８の入賞球を検知する検出スイッチ６４等がインターフェース５１を介して夫々接続されている。
【００２７】
さらに、その主制御基板５０には、図柄表示部７の表示制御回路７１、ランプ手段の回路７２、大入賞口９のソレノイド回路７３、チューリップ式入賞装置６のソレノイド回路７４、本発明の入賞装置１５のモータ駆動回路７５、回転式入賞装置８のモータ駆動回路７６等がインターフェース５２を介して夫々接続されている。
【００２８】
上述した本発明の入賞装置１５を適用したパチンコ機の遊技について、図６のフローチャート及び図７のタイムチャートに基づいて説明する。
（１）まず、遊技者により遊技領域ｒに打ち込まれた遊技球が、二つの始動入賞口１０，１０の何れかに入賞すると、チューリップ式入賞装置６の一対の開閉片６ａが０．５秒間だけ開成する。
（２）チューリップ式入賞装置６の一対の開閉片６ａの間に遊技球ａが入賞すると、その遊技球ａは、図２（イ）に示すように、入賞装置１５のステージ１６に誘導されて球待機部１７から、左回転中の回転体２０の上面に落下し、当たり領域ｈの第１球受け口２１（当たり穴）若しくはハズレ領域ｆの第２球受け口２２（ハズレ穴）の何れかに受け入れられる（図６、スタート）。
（３）その遊技球が第２球受け口２２に入れば、中央役物５の図柄表示部７の変動表示は開始されなく（Ｓ９１，ＮＯ）、回転体２０の回転方向は通常の左回転動作を保持されている（Ｓ９５）。
（４）その遊技球が第１球受け口２１に入れば、図柄表示部７の変動表示が開始される。そして、図柄表示部７に特別図柄、例えば、「７，７」が表示されたときには第１所定条件が成立して「大当たり状態」となる（Ｓ９１，ＹＥＳ）。
（５）大当たり遊技状態中（ｂ）に、遊技領域ｒに打ち込まれた遊技球が回転式入賞装置８に入賞すると、これを検出スイッチ６４が検知して大入賞口９のソレノイドをオン作動させるので、当該大入賞口９の開閉片９ａが開成する。なお、この大当たり遊技状態中における回転体２０の回転方向は、常に左回転動作を保持される。
（６）遊技球が大入賞口９に所定個数（例えば、１０個）だけ入賞するか、或いは入賞装置１５の回転式入賞装置８の１周期の到来により当該大入賞口９の開閉片９ａは閉成する（１ラウンド終了）。さらに、１ラウンド中に新たな遊技球が回転式入賞装置８に入賞しておれば、大入賞口９の開閉片９ａの開閉動作が所定回数（例えば、最高１５回）まで繰り返される。
（７）大当たり遊技状態（ｂ）が終了すると、特典遊技状態（ｃ）に移行し、回転体２０が逆転して右回転動作に変更される（Ｓ９２）。この特典遊技状態中において、遊技球が、二つの始動入賞口１０，１０の何れかに入賞すると、チューリップ式入賞装置６の開閉片６ａが５秒間だけ開成し、遊技者に新たな入賞の機会を付与するように制御される。
（８）しかして、この特典遊技状態中に第２所定条件が成立したとき、例えば、回転体２０の回転動作が所定時間経過したとき、或いは図柄表示部７における図柄変動表示が所定回数を消化されることにより（Ｓ９３，ＹＥＳ）、回転体２０は、右回転から通常の左回転動作に戻る（Ｓ９４）。
（９）（８）の特典遊技状態（ｃ）が終了すると、以後の遊技及び各装置の動作等については、上記（２）の内容に戻る。
【００２９】
なお、上記実施形態例では、回転体２０に設けられる第１球受け口２１と第２球受け口２２の個数を一つずつとしているが、本発明はこれに限定されることなく、これら第１及び第２球受け口を夫々複数個設けることも可能である。
【００３０】
また、上記実施形態例においては、第１球受け口２１に遊技球が入ったときに図柄表示部７の図柄変動を行なわせるように構成しているところ、本発明はこれに限定されることなく、第１球受け口２１に遊技球が入ったことによって、直ちに「大当たり状態」とするような構成を採用することも可能である。
【００３１】
以上に述べた通り、このパチンコ機の入賞装置によれば、回転体の回転方向の変更に伴って遊技者に有利な状態となる球受け口と不利な状態となる球受け口への入賞率を極めて正確に可変することができて、パチンコ遊技に一層の興趣を付与することができる。
【図面の簡単な説明】
【００３２】
【図１】本発明のパチンコ機の入賞装置と、公知の始動入賞口、回転式入賞装置及び大入賞口等が設置された遊技盤の説明図
【図２】回転体の左回転時の場合において、第１球受け口に受け入れられる領域に遊技球が流入するタイミングを説明する模式図（イ）、同、第２球受け口に受け入れられる領域に遊技球が流入するタイミングを説明する模式図（ロ）
【図３】回転体の左回転時の場合における第１球受け口と第２球受け口への入球割合を示す説明図
【図４】回転体の右回転時の場合における第１球受け口と第２球受け口への入球割合を示す説明図
【図５】パチンコ機の電子制御部の要部を示すブロック図
【図６】本発明の入賞装置の回転体の回転制御処理を説明するフローチャート
【図７】本発明の入賞装置の回転体、始動入賞口、チューリップ式入賞装置、回転式入賞装置、大入賞口との動作関係を説明するタイムチャート
【符号の説明】
【００３３】
５・・・中央役物
９・・・大入賞口
１０，１０・・・始動入賞口
１５・・・（本発明の）パチンコ機の入賞装置
１６・・・ステージ
１７・・・球待機部
２０・・・回転体
ｈ・・・当たり領域
ｆ・・・ハズレ領域
２１・・・遊技者にとって有利な状態となる第１球受け口（当たり穴）
２２・・・遊技者にとって不利な状態となる第２球受け口（ハズレ穴）
【図１】
2005224330.tif 000003
【図２】
2005224330.tif 000004
【図３】
2005224330.tif 000005
【図４】
2005224330.tif 000006
【図５】
2005224330.tif 000007
【図６】
2005224330.tif 000008
【図７】
2005224330.tif 000009